(57)【特許請求の範囲】
【請求項１】
上端に雄ねじを有し、吊り線条が通る幅のスリットを該雄ねじ部に軸線方向に切欠いた吊りパイプと、該吊りパイプ中を通り上端に磁石を取付けた吊り線条と、該吊り線条の下部が通る通孔を有するフックと、該フックの下側にあって該フックを吊り線条に位置調節自在に係止するストッパとを備えることを特徴とする、高所吊り用具。
【請求項２】
請求項１において、前記フックは、吊りパイプに嵌合でき且つ吊り線条が通る上向きの短管部を一体に有することを特徴とする、高所吊り用具。
【請求項３】
請求項１又は２において、前記フックは、吊り線条が通る部分の両側に一対の載架部を有することを特徴とする、高所吊り用具。
【発明の詳細な説明】
【０００１】
【発明の属する技術分野】
本発明は、主として建造中の建物の内部の工事現場において、工事用の照明器や他の電気機器に給電するためのケーブル、電線、セメント練りや水洗い等に使用する水を供給するためのホース、標識などを、作業者の邪魔にならない高い位置に、上階の床や上部の鋼材から吊るすための器具に関する。
【０００２】
【従来の技術】
工事用のケーブル、ホース類を床面上に這わせておくと作業の邪魔になるため、従来の工事現場においては、上階の床に埋設した天井取付け用のインサートを利用してこれにフックをねじ込み、ケーブル、ホース類を束ねたワイヤを該フックに引掛けて吊るしているのが一般である。この手段は、インサートを有する床には使用できるが、ケーブル、ホース類の束から１本を抜き出したり加えたりする場合に束を解かなければならないので面倒である。また、デッキプレート用としては、磁石を用いて吸着させるものが知られている（特開平９−１２６５３６号公報）が、このものはコンクリート面には使用できない。
【０００３】
【発明が解決しようとする課題】
本発明は、上階の床がコンクリートで形成されている場合、或いは床全体又は床下面が鋼材で形成されている場合のいずれにおいても使用でき、所望の高さに簡単にコード、ホース、標識類を吊ることができる吊り用具に関する。
【０００４】
【課題を解決するための手段】
前記の課題は、各請求項に記載した手段によって解決される。
【０００５】
このうち第１の手段は、請求項１に記載したとおり、上端に雄ねじを有し、吊り線条が通る幅のスリットを該雄ねじ部に軸線方向に切欠いた吊りパイプと、該吊りパイプ中を通り上端に磁石を取付けた吊り線条と、該吊り線条の下部が通る通孔を有するフックと、該フックの下側にあって該フックを吊り線条に位置調節自在に係止するストッパとを備えることを特徴とする。
【０００６】
この手段によれば、上階の床の下面にインサートがある場合は、磁石に続く吊り線条の上端部を吊りパイプのスリットから引き出して、該インサートに吊りパイプの雄ねじをねじ込み、吊り線条の下部の適宜の位置に吊りフックをストッパで係止すれば、吊り線条上端の磁石は、吊りパイプ側面と上階天井に当接して吊り線条を係止するから、ケーブル、ホース類のその位置での吊持が可能になる。また、上階の床がデッキプレートなどの鋼製部材の場合は、磁石を該鋼製部材に吸着させ、吊りパイプとは無関係に磁力によってワイヤロープ及び吊りフックを吊り下げる。
【０００７】
第２の手段は、請求項２に記載したとおり、請求項１において、前記フックは、吊りパイプに嵌合でき且つ吊り線条が通る上向きの短管部を一体に有することを特徴とする。この手段によれば、フックの上向きの短管部が吊りパイプの下端に挿入されるので、該短管部は垂直になり、フックの傾斜が防止される。
【０００８】
第３の手段は、請求項３に記載したとおり、請求項１又は２において、前記フックは、吊り線条が通る部分の両側に一対の載架部を有することを特徴とする。この手段によれば、フックに複数のコード、ホース類をバランスよく吊持させることができる。
【０００９】
【発明の実施の形態】
以下、図面を参照して本発明の実施の形態を説明する。図１において、１は本発明の高所吊り用具、２はその吊りパイプ、３はステンレス材のワイヤロープよりなる吊り線条、５はケーブル、ホース類を載置するフック、６は該フック５を吊り線条３に係止するためのストッパで、フック５と一体に設けられている。
【００１０】
吊りパイプ２は、合成樹脂材よりなり、パイプ主部２ａの上部に端部材２ｂを結合したもので、全長０．５〜２ｍ程度の任意の長さを有する。端部材２ｂは、中空で上端に小径の雄ねじ部２ｂ1が設けられ、下端にも小径の接続ねじ部２ｂ2を有し、接続ねじ部２ｂ2をパイプ主部２ａの雌ねじ部にねじ込んで接続されている。そして雄ねじ部２ｂ1の上端から大径部の上部にわたって、図１、図５に示すスリット２ｂ3が設けられており、該スリットの溝幅は、吊り線条３の外径より大とされている。吊り線条３には、前記のワイヤロープのほかにステンレス鋼線、合成樹脂ロープ等が用いられる。
【００１１】
磁石４は、磁力が極めて大きいリング状の磁石４ａを段付きのケース４ｂに固着したもので、吊り線条３の上端に固着したボール３ａがケース４の底部内面に係止されている。
【００１２】
フック５は、基部５ａの両側から上方に伸びる一対の載架部５ｂ，５ｂを有し、基部５ａに、上向きの短管部５ｃと下向きの前記ストッパ６とが設けられている。該短管部５ｃは、パイプ主部２ａの下部に設けた拡径孔２ｃに少しの遊びで嵌合できる外径を有し、図２に示すように、下部内面にストッパ６の雄ねじ部６ａがねじ込まれるようになっており、フック５は、短管部５ｃの下端とストッパ６の段部６ｂによって挟持され一体化する。
【００１３】
ストッパ６は、図３に示す公知のもので、雄ねじ部６ａの内部に設けたテーパー孔６ｃ内に、吊り線条３を囲む数個のボール６ｄを保持したパイプスピンドル６ｅが挿入され、該パイプスピンドル６ｅは、ばね６ｆで加圧されてボール６ｄをテーパー孔６ｃの小径側に押圧しており、パイプスピンドル６ｅの下端にはレリーズ摘み６ｇが固着されている。
【００１４】
この構成により、フック５に荷重がかかると、ストッパ６のフック５と一体の部分は下向きに押され、ボール６ｄは、テーパー孔６ｃの内面に沿って転動しながらテーパー孔６ｃの小径側に動かされ、吊り線条３を圧迫して固着状態になる。しかし、レリーズ摘み６ｇを引き下げるとボール６ｄは大径側に動かされて吊り線条３を解放し、フック５は吊り線条３に沿って自在に動くことができる。これにより、作業者は、フック５を適宜位置にセットすることができる。
【００１５】
吊り用具１は以上の構成を有するから、図４に示すように上階のコンクリートの床１０に、天井取付け用又は配管保持用等のインサート１１が埋設されている場合は、磁石４に続く部分の吊り線条３をスリット２ｂ3から外方に引き出し、雄ねじ２ｂ1をインサート１１にねじ込んで吊りパイプ２をインサート１１に連結する。そして吊り線条３の下端側を引き下げると、磁石４は、引き上げられて床１０の下面と吊りパイプ２の側面に当接して停止する。次にレリーズ摘み６ｇをフック５に対して下向きに引いてレリーズ状態にしながらフック５を押し上げ、短管部５ｃを拡径部２ｃ中に入れると、短管部５ｃは垂直になり、基部５ａは水平になって、ケーブル、パイプ類１２を安定的に吊持することができる。しかし、仮想線で示すように短管部５ｃが吊りパイプ２から下方に外れた状態にして使用することもできる。
【００１６】
図５は、上階の床１３がデッキプレートなどの鋼製部材よりなる場合で、この場合は、磁石４を床１３に磁力で吸着させ、吊り線条３によってフック５を吊り下げる。この場合、吊りパイプ２は遊んでいる。磁石を床１３から外したいときは、吊り線条３を強く引けばよい。該磁石４は、天井裏空間に架け渡された鋼材がある場合に、この鋼材に吸着させて使用することもできる。また、改修工事において、既設のダクトなどの鉄部材がある場合にも使用できる。
【００１７】
前記の取扱いにおいて、雄ねじ部２ｂ1をインサート１１にねじ込むとき、又は磁石４を鋼製部材に吸着させるとき、或いは取り外すときのいずれの場合も、吊りパイプ２の下端を持って下から操作すればよく、仮設足場や高い台は必要がない。
【００１８】
この実施の形態において、吊りパイプ２、フック５等を明色の樹脂材で作ることが望ましく、このようにすると軽量で腐食することがなく、視認し易い利点がある。
【００１９】
以上、フック５に上向きの載架部５ｂが２個あり、短管部５ｃを備えるものについて説明したが、フック５は、載架部５ｂがＪ字形に垂下する形状のものであってもよく、その数は１個だけであってもよい。この場合、短管部５ｃは省略してもよい。また、短管部５ｃとして、吊りパイプ２より大径の内径を有するものを用い、吊りパイプ２に外嵌させるようにしてもよい。
【００２０】
【発明の効果】
以上により、各請求項に記載したものは、それぞれ次の効果を奏する。
請求項１の手段によれば、上階の床が、天井用インサートを設けた床又は下面が鋼製部材の床のいずれによって構成されていても、一つの吊り具における吊りパイプ上端の雄ねじと吊り線条上端の磁石を使い分けることによって、ケーブル、ホース類を所望の高さに吊るすことができ、しかも、吊りパイプの下部を持って扱うことができるから、仮設足場や高い台を用いることなく吊り具を着脱できる効果があり、修理工事においては既設の鉄部材に磁石を吸着させて使用できる効果がある。
【００２１】
請求項２の手段によれば、フックと一体の短管部が吊りパイプに嵌合できるので、フックの傾斜を防止できる効果がある。
【００２２】
請求項３の手段によれば、フックに一対の載架部があるので、多数のケーブル、ホース類を載架できる効果がある。
【図面の簡単な説明】
【図１】本発明の吊り用具を平面上に置いた状態での部分断面図
【図２】フックの正面図
【図３】ストッパの縦断面図
【図４】使用状態を示す正面図
【図５】他の使用状態を示す正面図
【符号の説明】
２  吊りパイプ              ２ｂ1  雄ねじ部
２ｂ3  スリット                   ３  吊り線条
４  磁石                   ５  フック
５ｂ  載架部                   ５ｃ  短管部
６  ストッパ                 ６ｇ  レリーズ摘み
【図１】
0004201892.tif 000002
【図２】
0004201892.tif 000003
【図３】
0004201892.tif 000004
【図４】
0004201892.tif 000005
【図５】
0004201892.tif 000006